(57)【要約】【課題】記録装置において、比較的重量のあるロール状記録シートを仮置き部から本来の装着部に装着する際にスムースな移動を可能とする。【解決手段】仮置き台３０上においてロール状記録シート１１がＸ、Ｘ’方向で給紙時の正規の位置から大きくずれている場合、ユーザーは、仮置き台３０上でロール状記録シート１１をＸまたはＸ’方向へスライド移動することになる。このとき、回転コロ３１ａ、３１ｂの回転によってそのスライド移動を比較的小さな力で行うことができる。また、【選択図】図１
2014213473.tif 000002
【特許請求の範囲】
【請求項１】
記録部によって記録媒体に記録を行う記録装置であって、
記録媒体を前記記録部に供給するために記録媒体を装着することが可能な装着部と、
記録媒体を一時的に支持するための載置部であって、当該支持する記録媒体を、少なくとも当該載置部から前記装着部へ向かう方向と交差する方向に移動可能に支持する変位移動機構を備えた載置部と、
を具えたことを特徴とする記録装置。
【請求項２】
前記載置部から前記装着部へ記録媒体を移動可能とし、移動する記録媒体の位置を前記交差する方向において規制するとともに、記録媒体を支持する部位を前記載置部から前記装着部へ置き換えるように介在して支持部位の置換を行う置換機構をさらに具えたことを特徴とする請求項１に記載の記録装置。
【請求項３】
前記変位移動機構は、記録媒体の面に接して当該記録媒体の移動に伴って移動可能な複数の転動体を有することを特徴とする請求項１または２に記載の記録装置。
【請求項４】
前記載置部によって支持される記録媒体は記録シートをロール状に巻いたロール状記録シートであることを特徴とする請求項１ないし３のいずれかに記載の記録装置。
【請求項５】
前記複数の転動体は、前記ロール状記録シートの表面で形成される円筒表面の２つの母線と接して当該ロール状記録シートを支持することを特徴とする請求項４に記載の記録装置。
【請求項６】
前記載置部によって支持される記録媒体の当該載置部の面に対する投影面積は、前記載置部の面の面積より大きいことを特徴とする請求項５に記載の記録装置。
【請求項７】
前記ロール状記録シートが前記装着部に装着されているときに、前記ロール状記録シートの表面または前記記録媒体の供給のための搬送路または排紙のための搬送路に対して前記載置部が干渉しないように、当該載置部が移動可能に構成されたことを特徴とする請求項４ないし６のいずれかに記載の記録装置。
【請求項８】
記録部によって記録媒体に記録を行う記録装置に供給する記録媒体を装着するための記録媒体装着装置であって、
記録媒体を記録装置の記録部に供給するために記録媒体を装着することが可能な装着部と、
記録媒体を一時的に支持するための載置部であって、当該支持する記録媒体を、少なくとも当該載置部から前記装着部へ向かう方向と交差する方向に移動可能に支持する変位移動機構を備えた載置部と、
を具えたことを特徴とする記録媒体装着装置。
【発明の詳細な説明】
【技術分野】
【０００１】
本発明は、記録装置および記録媒体装着装置に関し、詳しくは、記録媒体を記録装置に装着するための構成に関するものである。
【背景技術】
【０００２】
記録装置で用いるいわゆる大判の記録媒体は、それを一定量のまとまったものとして扱う場合比較的重量のあるものとなる。例えば、大判の記録媒体をロール状に巻いたものや大判の記録媒体を一定枚数重ねたものは、記録装置のユーザーが扱うにはかなり重いものとなる。一例として、屋外広告用の記録媒体は、５４インチ乃至２００インチの幅で、かつその材料は紙よりも比重が大きい樹脂フィルム製の記録媒体が主流であり、それをロール状としたものの１本の重量は２０ｋｇｆ乃至４０ｋｇｆ程度となる。ユーザーは、このような重量のある記録媒体を記録装置に対して装着したり取り外したりする操作においてその重さが問題となる。
【０００３】
このような問題に対して、特許文献１には、ロール状記録媒体の仮置き部を設け、記録媒体を記録装置に装着する際にはこの仮置き部に一旦ロール状記録媒体を載置することが記載されている。そして、ロール状記録媒体をその軸方向の位置決めをした後、ロール状記録媒体を装置の奥側に向かって転がして本来の装着位置に装着する。
【０００４】
また、特許文献２には、同様に、ロール状記録媒体の仮置き部を設け、記録媒体を記録装置に装着する際にはこの仮置き部に一旦ロール状記録媒体を載置することが記載されている。そして、ロール状記録媒体となるシャフトを利用してロール状記録媒体を装置奥側に転がして装着位置に装着させる。
【先行技術文献】
【特許文献】
【０００５】
【特許文献１】特開２００９−２０２４１０号公報
【特許文献２】特開２００７−０８４１９９号公報
【発明の概要】
【発明が解決しようとする課題】
【０００６】
しかしながら、上記従来技術では、記録媒体を仮置き部から本来の装着部に装着する際のユーザーの操作が、記録媒体の重さによって阻害されることがある。すなわち、記録媒体を仮置き部から本来の装着部に装着させる際に、先ず位置合わせのため記録媒体を移動させるが、その重さのためにスムースに移動させることができず位置決め操作が困難となる。さらに、装置奥側の装着位置に装着する操作では、その操作が上特許文献１および２の技術ではロール状記録媒体を転がすものであるため、その重さが抵抗となってユーザーに比較的大きな負荷を課すことにもなる。
【０００７】
本発明は、以上の問題を解決し、記録媒体を仮置き部から本来の装着部に装着する際の位置決めなどにおいてスムースな移動を可能とする記録装置および記録媒体装着装置を提供することを目的とする。
【課題を解決するための手段】
【０００８】
そのために本発明では、記録部によって記録媒体に記録を行う記録装置であって、記録媒体を前記記録部に供給するために記録媒体を装着することが可能な装着部と、記録媒体を一時的に支持するための載置部であって、当該支持する記録媒体を、少なくとも当該載置部から前記装着部へ向かう方向と交差する方向に移動可能に支持する変位移動機構を備えた載置部と、を具えたことを特徴とする。
【発明の効果】
【０００９】
以上の構成によれば、記録媒体を仮置き部である載置部から本来の装着部に装着する際の位置決めなどにおいてスムースな移動が可能となる。
【図面の簡単な説明】
【００１０】
【図１】本発明の第１の実施形態に係る記録装置の概略構成を示す斜視図である。
【図２】図１に示す記録装置における、特に、ロール状記録シートの装着操作を説明する図である。
【図３】第１の実施形態に係る、記録シートを消耗して小径になった小径のロール状記録シートの装着を示す図である。
【図４】本発明の第２の実施形態に係るこの仮置き台と装着位置に装着するためのロール状記録シート支持部を示す図である。
【図５】第２の実施形態に係る、ロール状記録シートが仮置き台から装着部に移動する装着の様子を示す図である。
【図６】第２の実施形態に係る仮置き台の回動動作を説明する図である。
【図７】本発明の第３の実施形態に係る、仮置き台とロール状記録シート軸方向の位置ガイドの構成を示す図である。
【図８】本発明の第４実施形態に係る、転動体が異形コロである仮置き台を示す断面図である。
【図９】本発明の第５実施形態に係る、転動体がベルトである仮置き台を示す図である。
【発明を実施するための形態】
【００１１】
以下、図面を参照して本発明の実施形態を詳細に説明する。  
【００１２】
（第１実施形態）
図１は、本発明の第１の実施形態に係る記録装置の概略構成を示す斜視図であり、図２は、図１に示す記録装置における、特に、ロール状記録シートの装着操作を説明する図である。
【００１３】
これらの図において、長尺の記録シート（記録媒体）をロール状にしたロール状記録シート１１は、大判サイズのシート状の樹脂製記録媒体であり、その中心部にある円筒中空状の紙管１２の周りに記録面を巻き内側にして巻きつけられたものである。ロール状記録シート１１の軸方向（以下Ｘ、Ｘ’方向）の両端部には紙管１２の中空部に対してフランジ１３と１４が固定され、ロール状記録シートのＸ、Ｘ’方向の端部を拘束している。また、フランジ１３と１４の中心部には、１本のスプール１５が挿通されている。これにより、ロール状記録シートの装着時には、スプール１５のＸ、Ｘ’方向のスプール端部１５ａ、１５ｂを記録装置２０の所定位置に回転自在支持される。
【００１４】
ユーザーの操作によって、装着位置に装着されたロール状記録シート１１から記録シートが繰り出され（以下、繰り出された記録シートを参照符号１１ａで示す）、給送ローラ２１、２２のニップ部に把持される。そして、記録シートセンサー２３がこの把持された記録シート１１ａを検知すると、給送ローラ２１、２２が回転し、記録シート１１ａは記録装置２０の記録部に向けて給紙される。これにより、不図示のターンガイドを介して記録シート１１ａはその搬送方向を反転させて搬送ローラ２５及びこれに圧接するピンチローラ２６のニップ部に至る。さらに、搬送ローラ２５とピンチローラ２６の回転によって、記録シート１１ａは、プラテン２７上の記録ヘッド２８による記録部を通りその間に記録シートａの面に記録がなされる。
【００１５】
記録ヘッド２８は、装着されたときに記録シートの搬送方向と平行な方向の所定幅の範囲にわたってインクを吐出するためのノズルを配列したノズル列を備える。この記録ヘッドは、図１中のＸ方向およびＸ’方向に走査しながら、プラテン２７上の記録シート１１ａに対してインクを吐出し、これにより、所定の幅の画像が記録シート１１ａ上に形成される。また、この走査の間に搬送ローラ２５が所定量の搬送を行う。これらの走査と搬送とを繰り返すことに降り、記録シート１１ａ上に画像を記録することができる。そして、記録が終了した部分の記録シート１１ａは装置外の排紙部１１ｂに排出され、画像全体の記録完成した後、記録シート１１ａは画像後端側でカッター２９によって切断され、記録装置２０から排出される。
【００１６】
以上の記録装置おける、ロール状記録シート１１を記録装置に装着するための構成を次に説明する。
【００１７】
先ず、ユーザーがロール状記録シート１１の適当な記録シート表面部を仮置き台３０に置く。この場合、ロール状記録シートの記録シート表面部は仮置き面に対する投影面積が大きいことから、ロール状記録シート１１を仮置き台３０に置くこと自体は、位置合わせすることを意識することなく容易な操作となる。すなわち、ロール状記録シート１１の記録シート表面部の方が仮置き台３０の仮置き面より大きい投影面積を有していることから、そもそもロール状記録シート１１を仮置き台３０のどの位置に置くかという判断をする必要がなくなり、単純にロール状記録シート１１を仮置き台３０に乗せるようにすればよい。そして、本実施形態では、このような特に位置決めをしない状態で載置されたロール状記録シート１１は、後述される、記録シート表面部の２つの母線で接する構成によって、その姿勢が一定の方向に規制される。
【００１８】
仮置き台３０の下部にはスライド伸縮レール３２、３３の一端部が取り付けられている（図１および図２において、スライドして伸縮するための構成の図示は省略されている）。スライド伸縮レール３２、３３の他端側は、記録装置２０の本体に取り付けられており、記録装置２０の奥側から離れるほど鉛直方向に高く、つまり記録装置２０に近づくほど低くなるように、傾斜して設けられている。従って、仮置き台３０をスライド伸縮レール３２、３３と一体的に移動させると、その鉛直方向の高さも変化することになる。図２において、位置３７は、ロール状記録シート１１を仮置きした位置、位置３８は、ロール状記録シート１１を仮置き位置から正規の装着位置へ移動する途中の位置、および位置３９は、正規の装着位置を示している。また、スライド伸縮レール３２、３３は、位置３７、３９では、スライドロックが掛かり、移動が制限される。また、移動途中の位置３８の前後はフリーストップ機能を有し、ロール状記録シート１１の重量よる移動を制動する。
【００１９】
仮置き台３０は、Ｘ、Ｘ’方向においてロール状記録シート１１の表面の一部を支持できるだけの幅を有している。また、装着動作方向（以下、Ｓ、Ｓ’方向）については、仮置き台３０の上面がそのＳ、Ｓ’方向中央付近で鉛直方向に低い部分となる、２つの傾斜面３０ａ、３０ｂを有している。これらの傾斜面３０ａ、３０ｂには、それらの表面からそれぞれ一部が突出した複数の球状回転コロ３１ａ、３１ｂが設けられており、これらの回転コロ３１ａ、３１ｂはどの方向にも回転することができる。これにより、傾斜面３０ａ、３０ｂに載置されるロール状記録シート１１を、比較的小さな力でどの方向にも移動させることが可能となる。また、複数の回転コロ３１ａ、３１ｂは、所定の配列をなし、これにより、ロール状記録シート１１の表面で構成される円筒表面の２つの母線と当接するようにしている。この結果、仮置き台３０上にロール状記録シート１１を置いたときに自然とロール状記録シート１１の、特にＳ、Ｓ’方向の位置を安定させることができる。このように回転コロはロール状記録シートの変位移動機構を構成する。
【００２０】
また、仮置き台３０上においてロール状記録シート１１がＸ、Ｘ’方向で給紙時の正規の位置から大きくずれている場合、ユーザーは、仮置き台３０上でロール状記録シート１１をＸまたはＸ’方向へスライド移動することになる。このとき、回転コロ３１ａ、３１ｂの回転によってそのスライド移動を比較的小さな力で行うことができる。なお、この場合、Ｘ、Ｘ’方向の位置合わせのために、ロール状記録シート１１の望ましい設計上の位置における記録媒体端部等の近傍に、位置合せの指標を配置しておくことにより、指標に合わせるようにロール状記録シート１１をスライド移動させればよい。
【００２１】
記録装置側のロール状記録シート支持部４０、４１は、記録装置２０のＸ、Ｘ’方向における両端部で、かつ仮置き台３０と同程度の高さに設けられている。ロール状記録シート支持部４０に関して、装置の中央側に向いた面には、Ｓ、Ｓ’方向に対して傾斜する呼び込みガイド面４２が設けられている。また、Ｘ、Ｘ’方向における反対側のロール状記録シート支持部４１についても同様のガイド面が設けられている。これにより、このガイド面がロール状記録シート１１のスプール１５ａと接して、ロール状記録シート１１を、Ｘ、Ｘ’方向において記録装置の中央側に移動するよう案内することができる。また、支持部４０の下ガイド面４３は仮置き台３０上に載置されたロール状記録シート１１のスプール端部１５ａを下側から支持する。一方、支持部４０の上ガイド面４４はロール状記録シート１１のスプール端部１５ａの上部を上方から案内する。規制面４５は、ロール状記録シート１１のスプール端部１５ａに当接してＸ、Ｘ’方向の移動を規制する。軸受部４６は、スプール端部１５ａに嵌合する寸法形状を有し、本嵌合位置においてスプール１５に支持されるロール状記録シート１１の位置が正規の装着位置、つまり給紙位置となる。ロール状記録シート支持部４１に関しても上記の各ガイド形状と同様で対称をなす形状を有したガイド部及び軸受部を有している。
【００２２】
図２において、スライド伸縮レール３２、３３を最も伸長した、載置位置３７において、仮置き台３０に大径のロール状記録シート６１（１１）を乗せたとき、上述したように、回転コロ３１ａ、３１ｂは、ロール状記録シート６１の表面で構成される円筒の周面の２つの母線で記録シート表面と接する。これにより、円筒体であるロール状記録シート６１が、そのＸ、Ｘ’方向における姿勢が自ずと安定することができる。この結果、ユーザーは、ロール状記録シート６１が仮置き台３０上で移動しないように手で保持しておくなどの操作を省くことができる。
【００２３】
ユーザーがロール状記録シート６１及び仮置き台３０を一体的にＳ方向へ移動させると、ロール状記録シート６１のスプール端部１５ａがロール状記録シート支持部４０近傍に到達した位置３８において、スプール端面１５ａは、呼び込みガイド面４２によってＸ、Ｘ’方向の位置が規制される。このとき、スプール端部１５ａは下ガイド面４３の上方にあり、また上ガイド面４４のＳ’方向側端部より下方にあるので、スプール端部１５ａは各ガイド面で構成されるガイド溝部に嵌り込む。さらに、ロール状記録シート６１をＳ方向に移動させると、仮置き台３０は、Ｓ方向で、かつ下方にスライド伸縮レール３２、３３と一体的に移動する一方、スプール端部１５ａが下ガイド面４３に乗り、ロール状記録シート６１の重量を支持する部分が、仮置き台３０から下ガイド面４３へ移る。このとき、ロール状記録シート６１は仮置き台３０から離間し、仮置き台３０から離れる。
【００２４】
さらに、ユーザーがロール状記録シート６１をＳ方向に移動させると、そのスプール端部１５ａは軸受部４６に至り、軸受部４６と嵌合し、これにより、ロール状記録シート６１が給紙位置にて支持されることになる。
【００２５】
図３は、記録シートを消耗して小径になった小径のロール状記録シート６２（１１）が装着される様子を示す図である。
【００２６】
図３に示すように、スライド伸縮レール３２、３３を最も伸長した位置３７において、小径ロール状記録シート６２も大径のロール状記録シート６１について上述したのと同様、円筒体である小径ロール状記録シート６２がその姿勢を自ら安定するように載置される。そして、ユーザーが、ロール状記録シート６２及び仮置き台３０を一体的にＳ方向へ移動させ、ロール状記録シート６２のスプール端部１５ａがロール状記録シート支持部４０近傍に到達した位置３８でも、同様に、小径ロール状記録シート６２のスプール端部１５ａは下ガイド面４３の上方にあり、上ガイド面４４のＳ’方向側端部より下方にある。これにより、小径ロール状記録シート６２もそのスプール端部１５ａが各ガイド面で構成されるガイド溝部に嵌り込む。
【００２７】
さらに、ロール状記録シート６２をＳ方向に移動させると、仮置き台３０は、Ｓ方向でかつ下方へスライド伸縮レール３２、３３と一体的に移動する一方、スプール端部１５ａが下ガイド面４３に乗り、小径ロール状記録シート６２の支持部が仮置き台３０から下ガイド面４３へ移る。このとき、小径ロール状記録シート６２は仮置き台３０から離間する。
【００２８】
さらに、ユーザーが小径ロール状記録シート６２をＳ方向に移動させると、スプール端部１５ａは軸受部４６へ至り、軸受部４６と嵌合して小径ロール状記録シート６２が給紙位置にて支持される。
【００２９】
以上の操作において、ロール状記録シート１１を仮置き台３０上に載置した後、仮置き台３０の移動とともに、ロール状記録シート１１は、そのスプール１５を介してロール状記録シート支持体４０、４１で支持されつつ位置決めされるので、ユーザーは給紙位置までそれほど大きな力を作用させることなく操作をすることができる。
【００３０】
また、本実施形態では、伸縮スライドレール３２、３３をＳ方向で、かつ下方へ、さらに移動させる。これにより、給紙動作中のロール状記録シート１１（６１、６２）が仮置き台３０と接触することができないようにし、給紙不良などを防ぐことができる。また、図１において、排紙記録シート１１ｂのように記録装置２０から排出されても、仮置き台３０がその排紙進行を妨げることがないので、記録シート排出動作を円滑に行うこともできる。
【００３１】
（第２実施形態）
本発明の第２の実施形態は、仮置き台がその回動によって、ロール状記録シートを一時的に載置する位置と、ロール状記録シートの装着などが完了した後の収納位置との間を移動できる構成に関するものである。図４は、第２の実施形態に係るこの仮置き台と装着位置に装着するためのロール状記録シート支持部を示す図である。
【００３２】
図４において、ロール状記録シート支持部７０は、不図示の記録装置本体部に対して第１の実施形態と同様の位置に設けられる。また、同様に、ロール状記録シート支持部７０には、図４においてＷ、Ｗ’方向に対して傾斜する呼び込みガイド面７２が設けられ、また、下ガイド面７３、上ガイド面７４、Ｘ規制面７５、軸受部７６が設けられる。また、これらのガイド面に対して矢印Ｗ’側の下方位置には鉛直面対して傾斜する入口ガイド面７７が設けられている。また、Ｘ方向側においても上記のガイド部と対称的な同様の形状を有するガイド部及び軸受部を有する不図示のロール状記録シート支持部（７８）が設けられている。
【００３３】
ロール状記録シート支持部７０の下方かつＷ’方向側には、仮置き台８０の回動軸となる支持軸７１が支持され、また、支持軸７１の不図示の他端側は、同様のロール状記録シート支持部に支持されている。仮置き台８０は、その上面に複数の球状回転コロ８１ａ、８１ｂを配置し実質的に第１の実施形態と同様の仮置き面を具えている。異なる点は、支持軸７１を介して回動可能に保持される点である。仮置き台８０は、図５に示す位置９０でロール状記録シート１１が仮置きされ、ロール状記録シートを支える。ロール状記録シートの仮置きに伴う装着または取り外し作業が終了したときは、図４における矢印Ｒ方向に回動して収納位置に収納される。
【００３４】
以上の構成において、ユーザーがロール状記録シート１１を装着する操作を次に説明する。
【００３５】
先ず、図４において、ユーザーがロール状記録シート１１の適当な記録シート表面部を仮置き台８０に置く。この際、第１実施形態と同様、記録シート表面部は仮置き面に対する投影面積が大きく、当該部分を仮置き台８０に置くこと自体では、位置合わせすることを意識することもなく容易なものとなる。
【００３６】
この仮置きの位置９０では、ロール状記録シート１１の周面が構成する２母線で複数の回転コロ８１ａ、８１ｂと当接することにより、ロール状記録シート１１の、Ｗ、Ｗ’方向の位置が安定する。また、このときロール状記録シート１１の軸はＸ、Ｘ’方向と略平行になる。またこの場合に、ロール状記録シート１１のＸ、Ｘ’方向位置が正規の装着位置から大きなずれがある場合には、ユーザーは仮置き台８０上でロール状記録シート１１をＸ、Ｘ’方向へスライド移動して調整することができる。このとき、複数の回転コロ８１ａ、８１ｂの作用により、ユーザーは、比較的小さな力で位置決めのための移動を行うことができる。なお、第１実施形態と同様、Ｘ、Ｘ’方向の位置合わせのために、ロール状記録シート１１の望ましい設計上の位置における記録シート端部等の近傍に、別途指標を配置しておけば、指標に合わせるようにロール状記録シート１１をスライド移動させることができる。
【００３７】
図５は、第２の実施形態に係る、ロール状記録シートが仮置き台から装着部に移動する装着の様子を示す図である。
【００３８】
図５において、ユーザーが仮置き台８０上のロール状記録シート１１を位置９０から矢印Ｗ方向に押すと、ロール状記録シート１１は、回転コロ８１ｂに乗り上げて、鉛直方向の位置を上昇させて位置９１に至る。このとき、ロール状記録シート１１のスプール端部１５ａ、１５ｂは、下ガイド面よりも高く、また、上ガイド７４のＷ’方向端部よりも低い位置にある。また、同時にＸ、Ｘ’方向では、呼び込みガイド面７２によって、仮位置決めされたスプール端部１５ａ（１５ｂ）に対して規制を開始してスプール端部１５ａ（１５ｂ）の案内を始める。以上の動作によって、ロール状記録シート１１のスプール端部１５ａ（１５ｂ）はこれらのガイド面が構成するガイド溝部へ嵌り込むことができる。
【００３９】
記録シートを消耗して小径になったロール状記録シートの場合には、仮置き台８０に対するスプール１５の高さが低くなるが、ロール状記録シートを位置９０から矢印Ｗ方向に押すと、スプール１５が入口ガイド面７７に乗り上げて下ガイド面７３上へ達することにより、上述と同様にスプール端部１５ａ（１５ｂ）が各ガイド面で構成するガイド溝部へ嵌り込むことができる。さらにロール状記録シート１１を矢印Ｗ方向に押すと、スプール端部１５ａ（１５ｂ）は下ガイド面７３上に乗り、ロール状記録シート１１の重量がスプール１５を介して下ガイド面７３によって支持され、仮置き台８０もしくは回転コロ８１ａ、８１ｂから離間する。さらに矢印Ｗ方向に押すことにより、スプール端部１５ａ（１５ｂ）は下ガイド面７３を滑り、最終的に位置９２で軸受部７６に至り、この位置にてスプール端部１５ａ（１５ｂ）の嵌合位置決めがなされる。
【００４０】
以上の操作においてロール状記録シート１１を仮置き台８０上に載置した後、ロール状記録シート１１は、スプール１５を介してロール状記録シート支持体７０（７８）で支持されつつ位置決めされるので、ユーザーは、仮置き台から装着位置まで大きな力を作用することなく作業ができる。また、この場合に、ロール状記録シート支持体７０（７８）のガイド面が、それらの形状によってロール状記録シート１１の重量を受ける部位の移動を円滑に行うことができ、これにより、ロール状記録シート１１の重量による衝撃等を軽減することが可能となる。すなわち、これらのガイド面は、ロール状記録シートが移動する際に、ロール状記録シートを支持する部位を、仮置き台から装着部へ置き換えるように介在して支持部位の置換を行う置換機構を構成する。
【００４１】
図６は、第２の実施形態に係る仮置き台の回動動作を説明する図である。図６において、ロール状記録シート１１が給紙するための位置９２、すなわち、その装着位置で位置決めされて記録装置本体２０において記録動作をする際には、仮置き台８０を矢印Ｒ方向に回動することができ、これにより、第１の実施形態と同様に上方から記録シートが排出されてきても仮置き台８０がその排紙の進行を妨げることがないようにすることができる。
【００４２】
なお、上述のロール状記録シート１１を装着位置へ移動させる操作は、ロール状記録シート１１を矢印Ｗ方向に押すことに限らず、仮置き台８０のＲ方向の回動とともに行ってもよい。例えば、仮置き台８０に連結するレバー等により、梃子を使って、仮置き台８０のＲ方向の回動するようにすれば、容易にロール状記録シート１１を給紙位置へ容易に移動することが可能である。
【００４３】
（第３実施形態）
図７は、本発明の第３の実施形態に係る、仮置き台とロール状記録シート軸方向の位置ガイドの構成を示す図である。本実施形態は、第１及び第２の実施形態で示したスプールを省略する形態に関するものである。
【００４４】
図７において、仮置き台１００の上面は、ロール状記録シート１１１の装着方向（矢印Ｖ方向）における中央付近で鉛直方向に低い部分を有する２つ傾斜面１００ａ、１００ｂを有して形成される。また、上面は、傾斜面１００ｂに方向Ｖ側で接続する水平面１００ｃを有する。これらの面１００ａ、１００ｂ、１００ｃには、一部がそれぞれの面から突出し、どの方向にも回転できる球状の回転コロ１０３ａ，１０３ｂ、１０３ｃが設けられている。これらの回転コロ１０３ａ，１０３ｂ、１０３ｃによって、それらの上に載置された重量物は、いずれの方向にも比較的小さな抵抗で移動することができる。
【００４５】
ロール状記録シート１１１は、仮置き台１００上に仮置きされる。このとき、複数の回転コロ１０３ａ、１０３ｂは、これらがロール状記録シート１１１の表面で構成される円筒周面の２つの母線と当接する位置関係にあり、仮置き台１００上にロール状記録シート１１１を仮置きした際に自ずとロール状記録シート１１１のＶ、Ｖ´方向の位置が安定する。
【００４６】
ロール状記録シートの最終的な装着位置である載置部１１２は、円弧状の凹形状を有している。装着位置のロール状記録シート１１１’の位置は、ロール状記録シート載置部１１２の凹形状内にあって記録装置内における給紙位置でもある。その凹部状の表面には円筒状回転コロ１１４ａ、１１４ｂの一部が突き出るための複数の開口部１１３ａ、１１３ｂが設けられている。これにより、載置部１１２は、ロール状記録シート１１１’を比較的小さな抵抗で回転可能に支持することができる。給紙に係る、ロール状記録シート１１１’の巻きほどかれた記録シート先端部１１１ａは、矢印Ｖ方向の搬送方向下流側へ送られ、記録部に至る。
【００４７】
ロール状記録シート載置部１１２に対して搬送方向上流側（矢印Ｖ’方向）には、仮置き台１００の上面１００ｃとほぼ同じ高さにある水平ガイド面１１３が接続されている。この水平ガイド面１１３には、回転自在に支持された球状の回転コロ１２１ａがその一部を突出させて配列されている。
【００４８】
仮置き台１００の水平面１００ｃと水平ガイド面１１３との間の空間にはガイド支持軸１１６が、装置本体に対して固定された位置で設けられている。ガイド支持軸１１６は、その周面最上部の高さが、仮置き台１００の水平面１００ｃおよびは水平ガイド面１１３とほぼ同じ高さになるように配置されている。後述するようにこれらの面と軸の高さと、各回転コロ及び円筒回転コロの回転又はロール状記録シート１１１の自転によって、ロール状記録シート１１１が仮置き台１００の上面から水平ガイド面１１３を経由してロール状記録シート載置部１１２部へ至る移動に際して、円滑にかつ軽負荷で移動することが可能となる。
【００４９】
右側規制ガイド１１７は、ガイド支持軸１１６に挿通固定され、ロール状記録シート１１１が、ロール状記録シート載置部１１２にあるとき及び仮置き台１００上からロール状記録シート載置部１１２へ移動するに際して、ロール状記録シート１１１の右側面に当接してロール状記録シート１１１のＸ、Ｘ’方向の位置を規制する。また、右補助ガイド１１８は、右側規制ガイド１１７に回動ヒンジ部を介して支持され、その側面は矢印Ｖ方向に対して傾斜している。この傾斜により、仮置き台１００の上面にあるロール状記録シート１１１がＸ方向に少々の位置ずれがあってもそれを適切なＸ、Ｘ’方向位置へ案内する。
【００５０】
左側規制ガイド１１９は、ガイド支持軸１１６に挿通され、ガイド支持軸１１６の軸方向に移動可能に支持され、ロール状記録シート１１１の幅サイズに対応してユーザーがガイド支持軸１１６の軸方向に移動でき、移動後は位置固定し得る不図示の固定手段を有する。左側規制ガイド１１９は、ロール状記録シート１１１が、ロール状記録シート載置部１１２にあるとき及び仮置き台１００上からロール状記録シート載置部１１２へ移動する過程で、ロール状記録シート１１１の左側面に当接してロール状記録シート１１１のＸ、Ｘ’方向の位置を規制する。また、左補助ガイド１２０は左規制ガイド１１９に回動ヒンジ部を介して支持され、その側面は矢印Ｖ’方向に対して傾斜している。この傾斜により、仮置き台１００の上面にあるロール状記録シート１１１に対してＸ’方向に少々の位置ずれがあっても適切なＸ、Ｘ’方向位置へ案内される。
【００５１】
以上の構成において、ユーザーがロール状記録シート１１１を装着する作業は以下のようになる。
【００５２】
先ず、ユーザーがロール状記録シート１１１の適当な記録シート表面部を仮置き台１００に置く。このとき、上記各実施形態と同様、記録シート表面部は仮置き面に対する投影面積が大きく、当該部分を仮置き台１００に置くこと自体は、位置合わせすることを意識することもなく容易に行うことができる。
【００５３】
ロール状記録シート１１１の周面が構成する２つの母線に対して球状回転コロ１０３ａ、１０３ｂが接する位置関係にあるので、ロール状記録シート１１１の姿勢は、仮置き台１００上にロール状記録シート１１１を仮置きした際に自ずとロール状記録シート１１１のＶ，Ｖ´方向の位置が安定する。また、ロール状記録シート１１１のＸ、Ｘ’方向位置が正規の位置から大きくずれている場合は、ユーザーは、仮置き台１００上でロール状記録シート１１１をＸ、Ｘ’方向へスライド移動することができる。このとき、球状回転コロ１０３ａ、１０３ｂの作用によりおおよその仮位置決めを比較的小さな力で行うことができる。
【００５４】
上述の操作の後、ユーザーがロール状記録シート１１１を矢印Ｖ方向に押すと、ロール状記録シート１１１は、水平面１００ｃに至る過程で右補助ガイド１１８と左補助ガイド１２０によってロール状記録シート１１１のＸ、Ｘ’方向の位置がさらに精度よく規制される。
【００５５】
さらにロール状記録シート１１１を矢印Ｖ方向に押すと、ロール状記録シート１１１は水平面１００ｃとガイド支持軸１１６の上部を転がりながら接触しつつ水平ガイド面１１３に至る。水平ガイド面１１３には球状回転コロ１２１ａが配列されているので、さらにロール状記録シート１１１を矢印Ｖ方向に押すとき、載置部１１２へ小さな力で移動させることができる。平坦な部位における移動であるので、その移動も円滑に行うことができ、ロール状記録シート１１１の重量による衝撃等も少ない。
【００５６】
記録シートの載置部１１２で、ロール状記録シート１１１は、円筒回転コロ１１４ａ、１１４ｂによって、ロール軸周りに回転自在に支持され、これにより、記録シート先端部１１１’を装置本体の記録部へ供給するときに回転することができる。
【００５７】
その後、ロール状記録シート１１１の先端部１１１ａを搬送方向下流に側にある不図示の給装ローラのニップ部に差し込むことにより、ロール状記録シート１１１の先端部１１１ａが記録部へ搬送される。
【００５８】
なお、記録シートがその排出時に仮置き台１００が排紙搬送パスと交差干渉する場合は、第１実施形態もしくは第２実施形態のように仮置き台１００を搬送パスから退避するような機構を同様に構成することもできる。
【００５９】
（第４実施形態）
図８は、本発明の第４実施形態に係る、転動体が異形コロである仮置き台を示す断面図である。
【００６０】
図８において、異形コロ１３１、１３２は、略、円錐形の頂部を切断した形状を成し、２つコロを１組としてそれぞれ円錐のより大きい径の側の距離がより大きくなるように配置されている。各異形コロの軸部１３１ａ、１３１ｂ、１３２ａ、１３２ｂは基台１３３に固定された軸受部１３４ａ、１３４ｂ、１３５ａ、１３５ｂによって回転自在に支持される。異形コロ１３１、１３２の傾斜した周面の一部が仮置き台１３６の上面の開口部から突出して、ロール状記録シートを接触支持する。
【００６１】
コロの傾斜した周面が互いに向かい合う側に傾斜することにより、ロール状記録シート表面が構成する円筒周面の２つの母線にロール径が多少変化しても接触することになる。その結果、仮置き台１３７上でロール状記録シートを一旦安定姿勢に維持できるとともに、Ｘ、Ｘ’（不図示、Ｖ’、Ｖ方向に直角）方向に移動することが容易になる。また、円筒コロ１３８は、Ｘ、Ｘ’方向に平行な回転軸１３８ａを有し、基台１３３に固定された軸受部１４０によって回転自在に支持される。ロール状記録シート１１を給紙の作動位置（装着位置、Ｖ方向）へ移動させる際、円筒コロ１３８の回転によりロール状記録シート１１を転がして移動できるので、ユーザーの負荷を軽減できる。
【００６２】
（第５実施形態）
図９は、本発明の第５実施形態に係る、転動体がベルトである仮置き台を示す図である。
【００６３】
図９において、仮置台３００の上面は、ロール状記録シートを装着する際に移動させる方向（矢印Ｖ方向）の中央付近で鉛直方向に低い部分を有する２つの傾斜面３００ａ、３００ｂを有する。傾斜面３００ａ、３００ｂの表面には開口部３００ｃ、３００ｄがそれぞれ形成され、これらの開口部３００ｃ、３００ｄに対応する仮置台３００の内部には、ベルトプーリー３０１、３０２、３０３、３０４が回転自在に支持されている。図中、ベルトプーリー３０１と３０２には無周端の平ベルト３０５、ベルトプーリー３０３と３０４には同じく無周端の平ベルト３０６が傾斜面３００ａ、３００ｂに略平行になるよう装着されている。この構造により、ベルトプーリー３０１、３０２と平ベルト３０５とが同期し、また、ベルトプーリー３０３、３０４と平ベルト３０６が同期して軽負荷で回転する。各平ベルト３０５、３０６が張設される範囲の中央内部にアイドラプーリ３０７、３０８が回転自在に設けられ、各平ベルト３０５と３０６の上方から受ける重量を当該アイドラプーリ３０７、３０８で支持することができる。
【００６４】
本実施形態では、仮置台３００のＸ、Ｘ’方向の側面３０９、側面３０９と対向面３１０（不図示）に支持軸３１０が挿通され、仮置台３００が該支持軸３１０を中心に回動することができ、第２の実施形態と同様に不図示の記録装置本体２０に支持されている。
【００６５】
ユーザーが一旦ロール状記録シートを平ベルト３０５と３０６上に置くと、平ベルト３０５と３０６の回転によりＸ、Ｘ’方向へ小さな力で移動することができる。さらにロール状記録シートを給紙位置（装着位置）へ移動する際は、前述の実施形態のようにスプール等のガイド手段によって給紙位置へ移動させることができる。
【００６６】
（その他の実施形態）
仮置き台上のロール状記録シートの軸方向（Ｘ、Ｘ’方向）の移動機構については、その他リニアレールガイドを組み込まれて連動するテーブル状のものであってもよい。このようにテーブル状にすることにより、重量物に係る接触面積を大きくすることが容易となり、コロ等に接触する場合に比べて荷重による面圧を下げることができ、長時間の仮置き放置に対しては、ロール状記録シート表面の局部変形を低減できる。このテーブル状の仮置き台はＸ、Ｘ’方向から見た断面形状の上部を略Ｖの字形状にしておくことにより、ロール状記録シートのロール径が変化してもロール状記録シートの周面のいずれかには必ず前記Ｖの字を構成する両面が当接するので、当該仮置き台上にロール状記録シートを仮置きした際には自ずとロール状記録シートの位置が安定する。
【００６７】
また、第３の実施形態のようにスプールを備えない構成では、ロール状記録シートだけでなく、大判かつ大量に積載されたカット紙の束に対しても、本発明を応用でき、束を仮置き台に一旦載置した後は、束の形を乱さずに給紙位置まで低負荷で移動することができる。
【００６８】
上述した実施形態は、記録媒体の仮置き台およびそこから記録媒体が移動させられる装着部が記録装置と一体の形態、すなわち、それらの構成が記録装置の一部として構成される形態に関するものである。本発明の適用はこの形態に限られず、仮置き台および装着部が記録装置と別に構成される形態であってもよい。本明細書では、この形態の仮置き台および装着部の構成を記録媒体装着装置という。この場合、記録媒体装着装置から給紙される記録媒体を記録媒体の搬送路に導く構成が必要なことはもちろんである。
【符号の説明】
【００６９】
１１、６１、６２、１１１    ロール状記録シート
３０、８０、１００、１３６、３００    仮置き台
３１、８１、１０３    回転コロ
３２、３３    伸縮スライドレール
４１、４２    ロール状記録シート支持体
７１    支持軸
１３１、１３２    異形コロ
１１７、１１９    規制ガイド
３０５、３０６    平ベルト
【図１】
2014213473.tif 000003
【図２】
2014213473.tif 000004
【図３】
2014213473.tif 000005
【図４】
2014213473.tif 000006
【図５】
2014213473.tif 000007
【図６】
2014213473.tif 000008
【図７】
2014213473.tif 000009
【図８】
2014213473.tif 000010
【図９】
2014213473.tif 000011